(57)【要約】【課題】無機塩を用いて粘度増加が図れ、かつ、低温条件での保存安定性に優れる液体洗浄剤を提供すること。【解決手段】（Ａ）成分：ポリオキシエチレンアルキルエーテル硫酸塩と、（Ｂ）成分：下記一般式（ｂ１）で表される化合物と、（Ｃ）成分：下記一般式（ｃ１）で表される化合物と、（Ｄ）成分：水溶性無機塩と、を含有する液体洗浄剤。式（ｂ１）中、Ｒ１は炭素数８〜１８の直鎖状の炭化水素基であり、ＡＯは炭素数２〜４のオキシアルキレン基であり；ｘはオキシアルキレン基の平均繰返し数を表し、５〜３０の数である。式（ｃ１）中、Ｒ２は炭素数８〜１８の分岐鎖状の炭化水素基であり；ｙはオキシエチレン基の平均繰返し数を表し、０超７未満の数である。［化１］2014062231.tif 000014【選択図】なし【特許請求の範囲】
【請求項１】
（Ａ）成分：ポリオキシエチレンアルキルエーテル硫酸塩と、（Ｂ）成分：下記一般式（ｂ１）で表される化合物と、（Ｃ）成分：下記一般式（ｃ１）で表される化合物と、（Ｄ）成分：水溶性無機塩と、を含有する液体洗浄剤。
【化１】
2014062231.tif 000013
［式（ｂ１）中、Ｒ１は炭素数８〜１８の直鎖状の炭化水素基であり、ＡＯは炭素数２〜４のオキシアルキレン基であり；ｘはオキシアルキレン基の平均繰返し数を表し、５〜３０の数である。式（ｃ１）中、Ｒ２は炭素数８〜１８の分岐鎖状の炭化水素基であり；ｙはオキシエチレン基の平均繰返し数を表し、０超７未満の数である。］
【請求項２】
（Ｂ）成分／（Ｃ）成分で表される質量比が１〜１０である、請求項１に記載の液体洗浄剤。
【請求項３】
（Ｅ）成分：α−スルホ脂肪酸エステル塩をさらに含有する、請求項１又は請求項２に記載の液体洗浄剤。
【発明の詳細な説明】
【技術分野】
【０００１】
本発明は、液体洗浄剤に関する。
【背景技術】
【０００２】
各種の液体洗浄剤には、使用性などの点から、増粘剤の添加により粘度が付与されている。
一般に、液体洗浄剤の粘度を高めるために、ポリマー等の増粘剤が配合される。たとえば特許文献１には、非イオン界面活性剤と、増粘剤として架橋型カルボキシビニルポリマーと、１価の陽イオン界面活性剤と、を含有する液体洗浄剤が提案されている。
しかしながら、増粘剤としてポリマーを用いた場合、保管条件により、液体洗浄剤の粘度が経時に伴って大きく増減する、又は、液色が変化する等、保存安定性の確保が難しい、という問題がある。加えて、ポリマーの使用はコスト高になる。
また、液体洗浄剤の増粘剤としては、ポリマー以外に、無機塩も用いられている。無機塩は、ポリマーに比べて、コスト面で安く、入手が容易である等の点で有用である。
【先行技術文献】
【特許文献】
【０００３】
【特許文献１】特開２００７−２９７５１０号公報
【発明の概要】
【発明が解決しようとする課題】
【０００４】
しかしながら、液体洗浄剤の増粘剤として無機塩を用いた場合、低温条件での保存、特に冬場の気温変動により析出を生じやすい、という問題がある。
本発明は上記事情に鑑みてなされたものであり、無機塩を用いて粘度増加が図れ、かつ、低温条件での保存安定性に優れる液体洗浄剤、を課題とする。
【課題を解決するための手段】
【０００５】
本発明者らは鋭意検討した結果、上記課題を解決するために以下の手段を提供する。
すなわち、本発明の液体洗浄剤は、（Ａ）成分：ポリオキシエチレンアルキルエーテル硫酸塩と、（Ｂ）成分：下記一般式（ｂ１）で表される化合物と、（Ｃ）成分：下記一般式（ｃ１）で表される化合物と、（Ｄ）成分：水溶性無機塩と、を含有することを特徴とする。
【０００６】
【化１】
2014062231.tif 000002
［式（ｂ１）中、Ｒ１は炭素数８〜１８の直鎖状の炭化水素基であり、ＡＯは炭素数２〜４のオキシアルキレン基であり；ｘはオキシアルキレン基の平均繰返し数を表し、５〜３０の数である。式（ｃ１）中、Ｒ２は炭素数８〜１８の分岐鎖状の炭化水素基であり；ｙはオキシエチレン基の平均繰返し数を表し、０超７未満の数である。］
【０００７】
本発明の液体洗浄剤においては、（Ｂ）成分／（Ｃ）成分で表される質量比が１〜１０であることが好ましい。
また、本発明の液体洗浄剤においては、（Ｅ）成分：α−スルホ脂肪酸エステル塩をさらに含有することが好ましい。
【０００８】
また、本発明の液体洗浄剤は、前記（Ａ）成分を３〜２０質量％と、前記（Ｂ）成分を１〜１５質量％と、前記（Ｃ）成分を０．１〜１０質量％と、前記（Ｄ）成分を０．１〜１０質量％と、を含有することが好ましい。
前記（Ｅ）成分をさらに含有する場合、該（Ｅ）成分の含有量は、液体洗浄剤の総質量に対して０．０１〜８質量％であることが好ましい。
また、本発明の液体洗浄剤は、３０℃における粘度が１００〜１０００ｍＰａ・ｓであることが好ましい。
【発明の効果】
【０００９】
本発明の液体洗浄剤によれば、無機塩を用いて粘度増加が図れ、かつ、低温条件での保存安定性に優れる。
【発明を実施するための形態】
【００１０】
本発明の液体洗浄剤は、（Ａ）成分：ポリオキシエチレンアルキルエーテル硫酸塩と、（Ｂ）成分：下記一般式（ｂ１）で表される化合物と、（Ｃ）成分：下記一般式（ｃ１）で表される化合物と、（Ｄ）成分：水溶性無機塩と、を含有する。
本発明の液体洗浄剤は、家庭用、商業用、工業用の用途として利用可能であり、なかでも家庭用として好適に利用可能であり、衣料用の液体洗浄剤として特に好適である。
洗浄対象物（被洗物）の種類は、家庭における洗濯で洗浄対象とされているものと同様のものが挙げられ、たとえば衣類、布巾、タオル類、シーツ、カーテン等の繊維製品等が例示される。
【００１１】
＜（Ａ）成分：ポリオキシエチレンアルキルエーテル硫酸塩＞
（Ａ）成分は洗浄主成分であり、（Ａ）成分の配合により主として洗浄効果が発揮される。
（Ａ）成分としては、公知のポリオキシエチレンアルキルエーテル硫酸塩を用いることができ、市場において容易に入手できるものが挙げられる。なかでも、炭素数１０〜２０のアルキル基を有し、エチレンオキシドの平均付加モル数１〜１０のポリオキシエチレンアルキルエーテル硫酸塩が好ましい。
該アルキル基は、直鎖状であってもよく分岐鎖状であってもよい。直鎖状アルキル基を有するポリオキシエチレンアルキルエーテル硫酸塩（以下「直鎖状ＡＥＳ」と記す）としては、天然原料（植物等）に由来するものが挙げられる。従来、無機塩を配合する場合、直鎖状ＡＥＳを洗浄主成分として用いると、低温条件での保存によって無機塩が析出しやすい、という傾向が強まる。しかし、本発明においては、直鎖状ＡＥＳを洗浄主成分として用いる場合でも、低温条件での保存によって無機塩が析出しにくい。したがって、本発明は、直鎖状ＡＥＳを洗浄主成分として用いる場合に特に有用である。
該アルキル基の炭素数は１０〜１４がより好ましく、また、エチレンオキシドの平均付加モル数は１〜４がより好ましい。
塩の形態としては、ナトリウム塩、カリウム塩等のアルカリ金属塩；モノエタノールアミン塩、ジエタノールアミン塩等のアルカノールアミン塩などが挙げられる。なかでも、アルカリ金属塩が好ましく、ナトリウム塩が特に好ましい。
（Ａ）成分として具体的には、ＥＭＡＬ２７０Ｎ、シノリン  ＳＰＥ−１３５０（いずれも商品名）等の市販品が好適に挙げられる。
（Ａ）成分は、１種を単独で用いてもよく、２種以上を併用してもよい。
液体洗浄剤中、（Ａ）成分の含有量は、該液体洗浄剤の総質量に対して３〜２０質量％が好ましく、より好ましくは５〜１５質量％である。
（Ａ）成分の含有量が好ましい上限値を超えると、製剤の流動性及び使用時の溶解性が悪くなりやすい。一方、好ましい下限値未満では、充分な洗浄効果が得られにくい。
【００１２】
＜（Ｂ）成分：一般式（ｂ１）で表される化合物＞
（Ｂ）成分は、下記一般式（ｂ１）で表される、直鎖状のアルコールアルコキシレートである。
【００１３】
【化２】
2014062231.tif 000003
［式中、Ｒ１は炭素数８〜１８の直鎖状の炭化水素基であり、ＡＯは炭素数２〜４のオキシアルキレン基であり；ｘはオキシアルキレン基の平均繰返し数を表し、５〜３０の数である。］
【００１４】
前記式（ｂ１）中、Ｒ１の炭化水素基は、直鎖状のアルキル基、又は直鎖状のアルケニル基が挙げられる。Ｒ１の炭化水素基の炭素数は８〜１８であり、洗浄力向上の点から、炭素数は１０〜１６が好ましく、１０〜１４がより好ましい。Ｒ１の炭素数が８以上であれば、界面活性剤としての機能を充分に発揮でき、液体洗浄剤に優れた洗浄力を付与できる。一方、炭素数が１８以下であれば、（Ｂ）成分は液体状態が維持されやすいため、液体洗浄剤の液安定性がより向上する。
前記式（ｂ１）中、ＡＯは、オキシエチレン基、オキシプロピレン基又はオキシブチレン基のいずれか１種であってもよく、これらの２種以上が混在するものであってもよい。ＡＯのなかでも、オキシエチレン基及び／又はオキシプロピレン基が好ましく、オキシエチレン基がより好ましい。オキシエチレン基、オキシプロピレン基又はオキシブチレン基の２種以上が混在する場合、これらはランダム状に混在していてもよく、ブロック状に混在していてもよい。
前記式（ｂ１）中、ｘは５〜３０の数であり、洗浄力向上の点から、ｘは１０〜２０の数が好ましく、１２〜１８の数がより好ましい。
なお、ｘは、オキシエチレン基の「平均」繰返し数を表している。すなわち、（Ｂ）成分は、オキシエチレン基の繰返し数が異なる分子の集合体である。また、Ｒ１の異なる分子の集合体であってもよい。
【００１５】
（Ｂ）成分は、１種を単独で用いてもよく、２種以上を併用してもよい。
液体洗浄剤中、（Ｂ）成分の含有量は、該液体洗浄剤の総質量に対して１〜１５質量％が好ましく、より好ましくは１〜１０質量％であり、さらに好ましくは１〜５質量％である。
（Ｂ）成分の含有量が好ましい上限値を超えると、低温条件での保存安定性が悪くなるおそれがある。また、粘度の増加によって、製剤の流動性及び使用時の溶解性が悪くなりやすい。一方、好ましい下限値未満では、充分な洗浄力向上の効果が得られにくい。
【００１６】
＜（Ｃ）成分：一般式（ｃ１）で表される化合物＞
（Ｃ）成分は、下記一般式（ｃ１）で表される、分岐鎖状のアルコールエトキシレートである。
【００１７】
【化３】
2014062231.tif 000004
［式中、Ｒ２は炭素数８〜１８の分岐鎖状の炭化水素基であり；ｙはオキシエチレン基の平均繰返し数を表し、０超７未満の数である。］
【００１８】
前記式（ｃ１）中、Ｒ２の炭化水素基は、分岐鎖状のアルキル基、又は分岐鎖状のアルケニル基が挙げられる。Ｒ２の炭化水素基の炭素数は８〜１８であり、洗浄力向上の点から、炭素数は１０〜１６が好ましい。Ｒ２の炭素数が８以上であれば、界面活性剤としての機能を充分に発揮でき、液体洗浄剤に優れた洗浄力を付与できる。一方、炭素数が１８以下であれば、（Ｃ）成分は液体状態が維持されやすいため、液体洗浄剤の液安定性がより向上する。
前記式（ｃ１）中、ｙは０超７未満の数であり、低温条件での保存安定性向上の点から、ｙは１〜７の数が好ましく、１〜５の数がより好ましく、３〜５の数がさらに好ましい。
なお、ｙは、オキシエチレン基の「平均」繰返し数を表している。すなわち、（Ｃ）成分は、オキシエチレン基の繰返し数が異なる分子の集合体である。また、Ｒ２の異なる分子の集合体であってもよい。
【００１９】
（Ｃ）成分としては、たとえば、（ｉ）ｎ−オレフィンをオキソ化したアルコールに、エチレンオキシドを付加して得られるもの、（ii）α−オレフィンをオキソ化したアルコールに、エチレンオキシドを付加して得られるもの、（iii）ｎ−パラフィンを酸化させたものに、酸触媒の存在下、エチレンオキシドを付加して得られるもの、（iv）ブチレン３量体をオキソ化したアルコールに、エチレンオキシドを付加して得られるもの、（ｖ）プロピレン４量体をオキソ化したアルコールに、エチレンオキシドを付加して得られるもの、（vi）炭素数３のオレフィンと炭素数４のオレフィンとの混合オレフィンオリゴマーをオキソ化したアルコールに、エチレンオキシドを付加して得られるもの、等を好適に用いることができる。
なかでも、（ｖ）プロピレン４量体をオキソ化したアルコールに、エチレンオキシドを付加して得られるものがより好ましい。この具体例としては、ＢＡＳＦ社製のＬｕｔｅｎｓｏｌ  ＴＯ３、Ｌｕｔｅｎｓｏｌ  ＴＯ５（いずれも商品名）等の市販品が挙げられる。
【００２０】
（Ｃ）成分として具体的には、下記一般式（ｃ１−１）で表される化合物が特に好ましい。
【００２１】
【化４】
2014062231.tif 000005
［式中、Ｒ３は炭素数１〜１４の鎖状の炭化水素基である。Ｒ４は水素原子、メチル基、エチル基、プロピル基、ブチル基又はヒドロキシ基である。Ｒ５は炭素数２〜１６の分岐鎖状のアルキレン基である。ｙは７未満の数であり、前記式（ｃ１）中のｙと同様である。］
【００２２】
前記式（ｃ１−１）中、Ｒ３における鎖状の炭化水素基は、アルキル基であってもアルケニル基であってもよく、洗浄力向上の点から、炭素数は１〜１２が好ましい。
前記式（ｃ１−１）中、Ｒ４は水素原子、メチル基、エチル基が好ましく、メチル基、エチル基がより好ましい。
前記式（ｃ１−１）中、Ｒ５のアルキレン基は、炭素数が２〜１６であり、好ましくは炭素数が２〜１２であり、より好ましくは炭素数が２〜９である。Ｒ５の具体例を以下に例示する。
【００２３】
【化５】
2014062231.tif 000006
【００２４】
（Ｃ）成分は、１種を単独で用いてもよく、２種以上を併用してもよい。
液体洗浄剤中、（Ｃ）成分の含有量は、該液体洗浄剤の総質量に対して０．１〜１０質量％が好ましく、より好ましくは０．１〜５質量％であり、さらに好ましくは０．５〜２質量％である。
（Ｃ）成分の含有量が好ましい上限値を超えると、液体洗浄剤の粘度増加が図りにくくなる。一方、好ましい下限値未満では、低温条件での保存安定性が悪くなるおそれがある。
【００２５】
本発明において「（Ｂ）成分／（Ｃ）成分で表される質量比」とは、液体洗浄剤中に含まれる（Ｃ）成分の含有量に対する、（Ｂ）成分の含有量の割合（質量基準）を表す。
本発明の液体洗浄剤においては、（Ｂ）成分／（Ｃ）成分で表される質量比が１〜１０であることが好ましく、２〜６であることがより好ましく、３〜４であることがさらに好ましい。
（Ｂ）成分／（Ｃ）成分が好ましい上限値を超えると、低温条件での保存安定性が悪くなるおそれがある。一方、好ましい下限値未満では、液体洗浄剤の粘度増加が図りにくくなる。加えて、低温における流動性が悪くなりやすい。
【００２６】
＜（Ｄ）成分：水溶性無機塩＞
（Ｄ）成分は水溶性無機塩である。
本発明において「水溶性無機塩」とは、日本薬局方で「やや溶けやすい」から「極めて溶けやすい」に属する無機塩を示す。２０℃において１ｇを溶解するのに必要な水の量が３０ｍＬ未満であれば水溶性の無機塩といえる。
（Ｄ）成分としては、特に限定されず、硫酸ナトリウム、塩化ナトリウム、塩化カリウム、炭酸ナトリウム、塩化カルシウム、硫酸カルシウム等が挙げられる。なかでも、液体洗浄剤の増粘効果の観点から、硫酸ナトリウムを用いることが好ましい。また、硫酸ナトリウムとこれ以外の水溶性無機塩とを併用することも好ましい。
（Ｄ）成分は、１種を単独で用いてもよく、２種以上を併用してもよい。
液体洗浄剤中、（Ｄ）成分の含有量は、該液体洗浄剤の総質量に対して０．１〜１０質量％が好ましく、より好ましくは０．１〜５質量％である。
（Ｄ）成分の含有量が好ましい上限値を超えると、粘度の増加によって、製剤の流動性及び使用時の溶解性が悪くなりやすい。一方、好ましい下限値未満では、液体洗浄剤への増粘効果が充分に得られにくい。
【００２７】
本発明において「（Ａ）成分／［（Ｃ）成分＋（Ｄ）成分］で表される質量比」とは、液体洗浄剤中に含まれる（Ｃ）成分と（Ｄ）成分との合計の含有量に対する、（Ａ）成分の含有量の割合（質量基準）を表す。
本発明の液体洗浄剤においては、（Ａ）成分／［（Ｃ）成分＋（Ｄ）成分］で表される質量比が１〜１５であることが好ましく、１〜５であることがより好ましい。
（Ａ）成分／［（Ｃ）成分＋（Ｄ）成分］が好ましい上限値を超えると、液体洗浄剤の粘度増加が図りにくくなる、又は適度な粘度が得られにくい。一方、好ましい下限値未満では、粘度が増加しすぎるおそれがある、又は液安定性に劣る。
【００２８】
本発明において「［（Ｂ）成分＋（Ｃ）成分］／（Ｄ）成分で表される質量比」とは、液体洗浄剤中に含まれる（Ｄ）成分の含有量に対する、（Ｂ）成分と（Ｃ）成分との合計の含有量の割合（質量基準）を表す。
本発明の液体洗浄剤においては、［（Ｂ）成分＋（Ｃ）成分］／（Ｄ）成分で表される質量比が０．２〜１０であることが好ましく、０．４〜５であることがより好ましく、０．５〜２．５であることがさらに好ましい。
［（Ｂ）成分＋（Ｃ）成分］／（Ｄ）成分が好ましい上限値を超えると、液体洗浄剤の粘度増加が図りにくくなる。一方、好ましい下限値未満では、低温条件での保存安定性が悪くなるおそれがある。
【００２９】
＜溶媒＞
本発明の液体洗浄剤は、調製しやすさ、使用する際の水への溶解性等の観点から、溶媒として水を含有することが好ましい。
液体洗浄剤中、水の含有量は、該液体洗浄剤の総質量に対して４５質量％以上が好ましく、６０〜９０質量％がより好ましい。
水の含有量が好ましい下限値以上であると、経時に伴う液体洗浄剤の液安定性がより良好となり、一方、好ましい上限値以下であれば、液粘度が適度に低くなり、使用性の観点から良好である。
溶媒としては、水以外に、水混和性有機溶媒を用いてもよい。
「水混和性有機溶媒」とは、２５℃のイオン交換水１Ｌに５０ｇ以上溶解する有機溶媒をいう。水混和性有機溶媒としては、水と混合した際に均一な溶液となるものであればよく、そのなかでも、炭素数２〜４の一価アルコール、炭素数２〜４の多価アルコール、グリコールエーテル等が挙げられる。
炭素数２〜４の１価アルコールとしては、エタノール、１−プロパノール、２−プロパノール、１−ブタノール等が挙げられる。
炭素数２〜４の多価アルコールとしては、エチレングリコール、プロピレングリコール、ブチレングリコール、グリセリン等が挙げられる。
グリコールエーテルとしては、エチレングリコールモノブチルエーテル、エチレングリコールモノヘキシルエーテル、エチレングリコールモノフェニルエーテル、プロピレングリコールモノフェニルエーテル、ジエチレングリコールモノメチルエーテル、ジエチレングリコールモノブチルエーテル等が挙げられる。
【００３０】
＜その他の成分＞
本発明の液体洗浄剤には、本発明の効果を損なわない範囲で必要に応じて、上述した（Ａ）〜（Ｄ）成分以外のその他の成分を配合してもよい。
その他の成分としては、特に限定されず、衣料用などの液体洗浄剤に通常用いられる成分を配合することができ、具体的には（Ａ）成分以外の陰イオン界面活性剤、（Ｂ）成分及び（Ｃ）成分以外の非イオン界面活性剤、アルカリ剤、陽イオン性化合物、防腐剤、蛍光増白剤、再汚染防止剤、泡コントロール剤、キレート剤、減粘剤又は可溶化剤、酵素、着香剤、着色剤、乳濁化剤、エキス類、ｐＨ調整剤などを配合してもよい。
【００３１】
≪（Ｅ）成分：α−スルホ脂肪酸エステル塩≫
本発明の液体洗浄剤は、（Ｅ）成分：α−スルホ脂肪酸エステル塩をさらに含有することができる。（Ｅ）成分の配合により、特に皮脂汚れに対する洗浄力がより向上する。また、（Ｅ）成分を用いる場合でも、容易に製剤化が可能である。
（Ｅ）成分は、公知の製造方法により得られるもの、例えば、撹拌機付きの槽型反応装置などを定法により使用し、原料の脂肪酸エステルを、無水硫酸等に接触させてスルホン化することによりα−スルホ脂肪酸エステル（α−ＳＦ酸）を調製し、次いで、該α−ＳＦ酸を、水酸化ナトリウム等で中和することにより得られるものを用いることができる。尚、中和の前後に、過酸化水素等で漂白を行ったものでもよい。
（Ｅ）成分としては、下記一般式（ｅ１）で表される化合物を好適に用いることができる。
【００３２】
【化６】
2014062231.tif 000007
［式中、Ｒ６は炭素数８〜１８の炭化水素基であり、Ｒ７は炭素数１〜６の炭化水素基であり、Ｍは対イオンである。］
【００３３】
前記式（ｅ１）中、Ｒ６の炭化水素基は、直鎖状であっても分岐鎖状であってもよく、又は環状の構造を含んでいてもよい。なかでも、Ｒ６の炭化水素基は、脂肪族炭化水素基であることが好ましく、直鎖状若しくは分岐鎖状のアルキル基、又は直鎖状若しくは分岐鎖状のアルケニル基がより好ましく、直鎖状のアルキル基、直鎖状のアルケニル基がさらに好ましい。
Ｒ６の炭素数は８〜１８であり、炭素数１０〜１８であることが好ましく、炭素数１０〜１６であることがより好ましく、炭素数１４〜１６であることがさらに好ましい。Ｒ６の炭素数が８以上であると、洗浄力が向上する。一方、Ｒ６の炭素数が１８以下であると、液安定性が向上し、特にゲル化又は低温保存時の析出が抑制される。
【００３４】
前記式（ｅ１）中、Ｒ７の炭化水素基は、直鎖状であっても分岐鎖状であってもよく、又は環状の構造を含んでいてもよい。なかでも、Ｒ７の炭化水素基は、脂肪族炭化水素基であることが好ましく、直鎖状若しくは分岐鎖状のアルキル基、又は直鎖状若しくは分岐鎖状のアルケニル基がより好ましく、直鎖状のアルキル基、直鎖状のアルケニル基がさらに好ましい。
Ｒ７の炭素数は１〜６であり、炭素数１〜３であることが好ましい。
Ｒ７の炭化水素基として、具体的には、メチル基、エチル基、ｎ−プロピル基、イソプロピル基が挙げられ、洗浄力がより向上することから、メチル基、エチル基、ｎ−プロピル基が好ましく、メチル基が特に好ましい。
【００３５】
前記式（ｅ１）中、Ｍは、対イオンであり、Ｒ６ＣＨ（ＣＯＯＲ７）ＳＯ３−とともに水溶性の塩を形成し得るものであればよい。該対イオンとしては、アルカリ金属イオン、プロトン化したアミン、アンモニウム等が挙げられる。
該対イオンとなり得るアルカリ金属としては、ナトリウム、カリウム等が挙げられる。  該対イオンとなり得るアミンは、１〜３級のいずれであってもよく、総炭素数が１〜６であることが好ましい。該アミンは、ヒドロキシ基を有していてもよく、低温条件下での液体洗浄剤の水に対する溶解性が高まることから、ヒドロキシ基を有していることが好ましい。このようなアミンとしては、アルカノールアミンが挙げられ、該アルカノール基の炭素数は１〜３が好ましい。アルカノールアミンの具体例としては、モノエタノールアミン、ジエタノールアミン、トリエタノールアミン等が挙げられる。なかでも、Ｍとしては、アルカリ金属イオンが好ましい。
【００３６】
（Ｅ）成分は、１種を単独で用いてもよく、２種以上を併用してもよい。
液体洗浄剤中、（Ｅ）成分の含有量は、該液体洗浄剤の総質量に対して０．０１〜８質量％が好ましく、より好ましくは０．１〜６質量％であり、さらに好ましくは１〜３質量％である。
（Ｅ）成分の含有量が好ましい上限値を超えると、低温条件での保存安定性が悪くなるおそれがある。一方、好ましい下限値未満では、（Ｅ）成分の配合効果が得られにくい。
【００３７】
本発明の液体洗浄剤においては、（Ａ）成分及び（Ｅ）成分以外の陰イオン界面活性剤、たとえば直鎖アルキルベンゼンスルホン酸塩（ＬＡＳ）等を併用することもできる。これにより、多様な汚れに対して総合的に洗浄力が向上する。
液体洗浄剤にＬＡＳを用いる場合、ＬＡＳの含有量は、陰イオン界面活性剤の総質量に対して、好ましくは２０〜７０質量％程度であり、より好ましくは２０〜６５質量％程度である。ＬＡＳの含有量が好ましい下限値以上では、多様な汚れに対する洗浄力がより向上し、好ましい上限値以下では、低温条件での保存安定性が高まる。
また、液体洗浄剤中、ＬＡＳは、（Ａ）成分／ＬＡＳで表される質量比が、好ましくは０．４〜４、より好ましくは０．５〜３の範囲内となるように、（Ａ）成分と併用することが好ましい。（Ａ）成分／ＬＡＳの質量比が好ましい下限値以上では、低温条件での保存安定性が高まり、一方、好ましい上限値以下では、多様な汚れに対する洗浄力がより向上する。 
【００３８】
また、本発明の液体洗浄剤は、（Ｂ）成分及び（Ｃ）成分以外の非イオン界面活性剤を併用することもできる。かかる非イオン界面活性剤としては、特に限定されず、たとえば、ポリオキシエチレンアルケニルフェニルエーテル；長鎖脂肪酸アルキルエステルのエステル結合間（カルボニル基と酸素原子との間）に、アルキレンオキシドが付加した脂肪酸アルキルエステルアルコキシレート；ポリオキシエチレンソルビタン脂肪酸エステル、ポリオキシエチレンソルビット脂肪酸エステル、ポリオキシエチレン脂肪酸エステル、ポリオキシエチレン硬化ヒマシ油等が挙げられる。
【００３９】
アルカリ剤としては、たとえばモノエタノールアミン、ジエタノールアミン、トリエタノールアミン等のアルカノールアミンが挙げられる。
防腐剤としては、安息香酸又はその塩、ローム・アンド・ハース社製のケーソンＣＧ（商品名）、プロキセル等が挙げられる。
酵素としては、プロテアーゼ、アミラーゼ、リパーゼ、セルラーゼ、マンナナーゼ等が挙げられる。たとえば、プロテアーゼとして、ノボザイムズ社製のエバラーゼ
１６Ｌ  ＴｙｐｅＥＸ、サビナーゼ１６Ｌ  ＴｙｐｅＥＸ、リカナーゼ  ウルトラ２．５ＸＬ（いずれも商品名）を用いることができる。
着香剤としては、代表的な例として、特開２００２−１４６３９９号公報の表１１〜１８に記載の香料組成物などが挙げられる。
【００４０】
本発明の液体洗浄剤には、ｐＨを所望の値とするためにｐＨ調整剤を配合してもよい。但し、上述した各成分を配合したのみで液体洗浄剤のｐＨが所望の値となる場合は、ｐＨ調整剤は必ずしも配合しなくてもよい。
ｐＨ調整剤としては、たとえば硫酸、塩酸、クエン酸等の酸性化合物；モノエタノールアミン、ジエタノールアミン、トリエタノールアミン等のアルカノールアミン、水酸化ナトリウム、水酸化カリウム等のアルカリ性化合物が挙げられる。これらのｐＨ調整剤は、１種単独で用いてもよく、２種以上を併用してもよい。
【００４１】
本発明の液体洗浄剤は、２５℃におけるｐＨが７〜１１であることが好ましく、ｐＨが７〜９であることがより好ましい。液体洗浄剤のｐＨが前記の好ましい範囲内であると、液安定性がより向上する。また、酵素を添加した際、酵素活性の安定化が図られて、良好な洗浄力が維持されやすい。
本発明において、液体洗浄剤のｐＨは、液体洗浄剤を２５℃に調整し、ｐＨメーター（製品名：ＨＭ−３０Ｇ、東亜ディーケーケー（株）製）等により測定される値を示す。
【００４２】
また、本発明の液体洗浄剤は、被洗物への塗布性と、液体洗浄剤の容器からの排出性の観点から、３０℃における粘度が１００〜１０００ｍＰａ・ｓであることが好ましく、より好ましくは２００〜５００ｍＰａ・ｓである。
本発明において、液体洗浄剤の粘度は、液体洗浄剤を３０℃に調整し、Ｂ型粘度計により測定される値を示す。
【００４３】
上述の通り、本発明の液体洗浄剤は、（Ａ）〜（Ｄ）成分を含有することで、無機塩を用いて粘度増加が図れ、かつ、低温条件での保存安定性に優れる。
本発明の液体洗浄剤は、洗浄主成分として（Ａ）成分を用いた系で、（Ｄ）成分の配合により粘度調整が可能である。加えて、本発明の液体洗浄剤は、（Ｂ）成分と（Ｃ）成分との併用により、粘度調整とともに、低温条件での保存安定化が図られ、特に冬場の気温変動に対しても析出を生じにくいものである。
【実施例】
【００４４】
以下に実施例を用いて本発明をさらに詳しく説明するが、本発明はこれら実施例に限定されるものではない。本実施例において「％」は特に断りがない限り「質量％」を示す。
各例の液体洗浄剤の組成を表１〜５に示した。表中、各配合成分の含有量の単位は「質量％」であっていずれも純分換算量を示す。表中、空欄の配合成分がある場合、その配合成分は配合されていない。
なお、実施例８、９及び１１においてそれぞれ使用した原料のＢＣ−３、ＢＣ−４及びＢＣ−６は、分岐鎖状分子と直鎖状分子との混合物である。表中、「ＢＣ由来」とは、この混合物中の直鎖状分子を意味する。ＢＣ由来（該直鎖状分子）の含有量を、括弧書きで示した。「ＢＣ−３（分岐鎖）」は、上段が原料であるＢＣ−３、下段の括弧書きが該混合物中の分岐鎖状分子をそれぞれ意味する。ＢＣ−３（分岐鎖）の含有量は、上段が原料であるＢＣ−３としての含有量、下段の括弧書きが該分岐鎖状分子の含有量をそれぞれ示す。「ＢＣ−４（分岐鎖）」、「ＢＣ−６（分岐鎖）」についても同様である。
また、表中、「（Ｂ）／（Ｃ）」は、液体洗浄剤中の（Ｃ）成分（分岐鎖状分子）の含有量に対する、（Ｂ）成分（直鎖状分子）の含有量の割合（質量比）を意味する。
「［（Ｂ）＋（Ｃ）］／（Ｄ）」は、液体洗浄剤中の（Ｄ）成分の含有量に対する、（Ｂ）成分（直鎖状分子）と（Ｃ）成分（分岐鎖状分子）との合計の含有量の割合（質量比）を意味する。
本実施例において使用した原料は下記の通りである。
【００４５】
＜（Ａ）成分＞
Ａ−１：ポリオキシエチレンアルキルエーテル硫酸塩（炭素数１２の直鎖状アルキル基を有する分子と、炭素数１４の直鎖状アルキル基を有する分子との混合物；エチレンオキシドの平均付加モル数が２のもの）ＡＥＳ（２）、商品名「ＥＭＡＬ２７０Ｎ」、花王株式会社製。
Ａ−２：ポリオキシエチレンアルキルエーテル硫酸塩（炭素数１２の直鎖状アルキル基を有する分子と、炭素数１４の直鎖状アルキル基を有する分子との混合物；エチレンオキシドの平均付加モル数が３のもの）ＡＥＳ（３）、商品名「シノリン  ＳＰＥ−１３５０」、新日本理化株式会社製。
【００４６】
＜（Ｂ）成分＞
Ｂ−１：ポリオキシエチレンアルキルエーテル（前記式（ｂ１）中のＲ１＝炭素数１２，１４の直鎖状アルキル基、ｘ＝１５）、商品名「Ｅｃｏｌａｔ ２４−１５／８５」、Ｅｃｏｇｒｅｅｎ社製。なお、「Ｒ１＝炭素数１２，１４の直鎖状アルキル基」とは、Ｂ−１が、炭素数１２の直鎖状アルキル基を有する分子と、炭素数１４の直鎖状アルキル基を有する分子との混合物であることを意味する。
ＢＣ由来：後述のＢＣ−３、ＢＣ−４又はＢＣ−６にそれぞれ含まれる、直鎖状のポリオキシエチレンアルキルエーテル。
【００４７】
＜（Ｃ）成分＞
Ｃ−１：Ｃ１３−ｂｒａｎｃｈｅｄ  ｏｘｏ  ａｌｃｏｈｏｌ（前記式（ｃ１）中のＲ２＝炭素数１２，１３の分岐鎖状アルキル基、ｙ＝３）分岐鎖状分子のみからなるもの、商品名「Ｌｕｔｅｎｓｏｌ  ＴＯ３」、ＢＡＳＦ社製。なお、「Ｒ２＝炭素数１２，１３の分岐鎖状アルキル基」とは、Ｃ−１が、炭素数１２の分岐鎖状アルキル基を有する分子と、炭素数１３の分岐鎖状アルキル基を有する分子との混合物であることを意味する（以下同様）。
Ｃ−２：Ｃ１３−ｂｒａｎｃｈｅｄ  ｏｘｏ  ａｌｃｏｈｏｌ（前記式（ｃ１）中のＲ２＝炭素数１２，１３の分岐鎖状アルキル基、ｙ＝５）分岐鎖状分子のみからなるもの、商品名「Ｌｕｔｅｎｓｏｌ  ＴＯ５」、ＢＡＳＦ社製。
ＢＣ−３：ポリオキシエチレンアルキルエーテル（炭素数１２，１３の分岐鎖状アルキル基を有するものと、炭素数１２，１３の直鎖状アルキル基を有するものとの混合物、ｙ＝４．９）分岐鎖状分子と直鎖状分子との混合物（質量比：直鎖／分岐鎖＝５／５）、商品名「Ｓａｆｏｌ  ４．９ＥＯ」、Ｓａｓｏｌ社製。
ＢＣ−４：ポリオキシエチレンアルキルエーテル（炭素数１２，１３の分岐鎖状アルキル基を有するものと、炭素数１２，１３の直鎖状アルキル基を有するものとの混合物、ｙ＝５）分岐鎖状分子と直鎖状分子との混合物（質量比：直鎖／分岐鎖＝８／２）、商品名「ドバノール  ５ＥＯ」、三菱化学株式会社。
Ｃ−５：ポリオキシエチレンアルキルエーテル（前記式（ｃ１）中のＲ２＝炭素数１２，１３の分岐鎖状アルキル基、ｙ＝６）分岐鎖状分子のみからなるもの、商品名「エクソノール  ６ＥＯ」、エクソン化学社製。
ＢＣ−６：ポリオキシエチレンアルキルエーテル（前記式（ｃ１）中のＲ２＝炭素数１２，１３の分岐鎖状アルキル基を有するものと、炭素数１２，１３の直鎖状アルキル基を有するものとの混合物、ｙ＝５）分岐鎖状分子と直鎖状分子との混合物（質量比：直鎖／分岐鎖＝８／２）、商品名「ネオドール５ＥＯ」、シェル化学株式会社製。
Ｃ−７：ポリオキシエチレンアルキルエーテル（前記式（ｃ１）中のＲ２＝炭素数１２，１３の分岐鎖状アルキル基、ｙ＝３）分岐鎖状分子のみからなるもの、商品名「ソフタノール」、株式会社日本触媒製。
【００４８】
＜（Ｃ’）成分：（Ｃ）成分の比較成分＞
Ｃ’−１：Ｃ１３−ｂｒａｎｃｈｅｄ  ｏｘｏ  ａｌｃｏｈｏｌ（前記式（ｃ１）中のＲ２＝炭素数１２，１３の分岐鎖状アルキル基、ｙ＝１０）、商品名「Ｌｕｔｅｎｓｏｌ  ＴＯ１０、ＢＡＳＦ社製。
【００４９】
＜（Ｄ）成分＞
Ｄ−１：Ｎａ２ＳＯ４（芒硝）、商品名「硫酸ナトリウム」、関東化学株式会社製。
Ｄ−２：ＮａＣｌ、商品名「塩化ナトリウム」、東京化成工業株式会社製。
Ｄ−３：ＫＣｌ、商品名「塩化カリウム」、関東化学株式会社製。
Ｄ−４：Ｎａ２ＣＯ３、商品名「炭酸ナトリウム」、関東化学株式会社製。
Ｄ−５：ＣａＣｌ２、商品名「塩化カルシウム」、関東化学株式会社製。
【００５０】
＜（Ｅ）成分＞
Ｅ−１：α−スルホ脂肪酸メチルエステル塩、商品名「ＭＩＺＵＬＡＮ  ＦＬ−８０」、ライオンエコケミカルズ株式会社製。
【００５１】
＜その他の成分＞
ＬＡＳ：直鎖アルキルベンゼンスルホン酸ナトリウム、商品名「ライポンＬＳ−２５０」、ライオン株式会社製。
ＭＥＡ：モノエタノールアミン、株式会社日本触媒製。
Ｃｉｔｒｉｃ  ａｃｉｄ：クエン酸、扶桑化学工業株式会社製。
Ｓｏｄｉｕｍ  Ｂｅｎｚｏａｔｅ：安息香酸ナトリウム、伏見製薬株式会社製。
Ｅｎｚｙｍｅ：商品名「Ｅｖｅｒｌａｓｅ」、ＮＯＶＯ社製。
Ｐｅｒｆｕｍｅ：特開２００２−１４６３９９号公報における表１１〜１８に記載の香料組成物Ａ。
Ｈ２ＳＯ４：硫酸、関東化学株式会社製。
精製水。
【００５２】
共通成分の組成：
各配合成分の含有量（質量％）は液体洗浄剤中の割合を示す。
ＭＥＡ  ０．５質量％、Ｃｉｔｒｉｃ  ａｃｉｄ  ０．２質量％、Ｓｏｄｉｕｍ  Ｂｅｎｚｏａｔｅ  ０．５質量％、Ｅｎｚｙｍｅ  ０．３質量％、Ｐｅｒｆｕｍｅ  ０．４質量％、Ｈ２ＳＯ４  ０．２５質量％；合計２．１５質量％。
【００５３】
［液体洗浄剤の調製］
（実施例１〜３８、比較例１〜６）
表１〜５に示す組成（配合成分、含有量）に従い、各例の液体洗浄剤を下記の手順で調製した。
スターラー（ＭＡＧＮＥＴＩＣ  ＳＴＩＲＲＥＲ  ＳＷ−ＲＳ０７７  ＮＩＳＳＩＮ社製）を用い、５００ｍＬビーカーに精製水と（Ａ）成分と攪拌子とを入れ、均一になるまで攪拌した。次いで、（Ｂ）成分と、（Ｃ）成分又は（Ｃ’）成分と、（Ｄ）成分とを、それぞれ均一に溶解したことを確認しながら加えた。次いで、共通成分を添加し、均一になるまで攪拌した。なお、（Ｅ）成分又はＬＡＳを配合する場合、（Ａ）成分と共に加えた。
かかる液体洗浄剤の調製は、特に温度を制御せず、室温で行った。攪拌速度については、攪拌子が良好に回転するように回転数を適宜設定した。
【００５４】
［液体洗浄剤の評価］
各例の液体洗浄剤について、粘度の測定、及び、低温条件での保存安定性の評価をそれぞれ行った。
【００５５】
（粘度の測定）
容量５０ｍＬのバイヤル瓶（ＳＶ−５０Ａ、ＮＩＣＨＩＤＥＮ−ＲＩＫＡ   ＧＬＡＳＳ  ＣＯ製）に、液体洗浄剤５０ｇを充填し、３０℃に設定した恒温槽（Ｔ２２ＬＡ  ＴＨＯＭＡＳ製）内に２時間保存した。その後、Ｂ型粘度計（Ｖｉｓｃｏｍｅｔｅｒ  ＴＶ−２０、ＴＯＫＩＭＥＣ製）を用いて、液体洗浄剤の粘度を測定した。
測定条件を、回転数３０ｒｐｍ、ローターＮｏ．２、回転時間３０秒間、温度３０℃に設定し、測定される粘度が１００〜１０００ｍＰａ・ｓとなるものを合格とした（これは、粘度が１００ｍＰａ・ｓ未満の製剤は、粘度が低いことで、被洗物への塗布性、滞留性などが悪くなりやすく、また、充分な洗浄力が得られにくく；粘度が１０００ｍＰａ・ｓを超える製剤は、粘度が高すぎることで、容器からの排出性が悪くなりやすい点を考慮したものである）。
【００５６】
（低温条件での保存安定性）
容量５０ｍＬのバイヤル瓶（ＳＶ−５０Ａ、ＮＩＣＨＩＤＥＮ−ＲＩＫＡ   ＧＬＡＳＳ  ＣＯ製）に、液体洗浄剤５０ｇを充填し、−５℃の環境下に１日間保存して液体洗浄剤を完全に凍結させた。その後、５℃の環境下に１日間保存し、自然解凍した。
この操作（−５℃の環境下に１日間保存の後、５℃の環境下に１日間保存：−５℃⇔５℃）を５回繰り返した後、及び、１０回繰り返した後、５℃の環境下にて液体洗浄剤の外観を観察した。そして、下記の評価基準に従い、低温条件での保存安定性について評価した。
なお、かかる−５℃⇔５℃の繰り返しは、特に冬季の日間の気温変動を想定した評価条件である。
≪評価基準≫  Ｃｒｙｓｔａｌであったものを不合格とした。
Ｃｌｅａｒ：濁り又は結晶の析出が全く認められなかった。
Ｃｌｏｕｄｙ：濁りが認められた。
Ｓｅｄｉｍｅｎｔａｔｉｏｎ：分離が認められた。
Ｃｒｙｓｔａｌ：結晶の析出が認められた。
【００５７】
【表１】
2014062231.tif 000008
【００５８】
【表２】
2014062231.tif 000009
【００５９】
【表３】
2014062231.tif 000010
【００６０】
【表４】
2014062231.tif 000011
【００６１】
【表５】
2014062231.tif 000012
【００６２】
表１〜５に示す結果から、本発明を適用した実施例の液体洗浄剤は、無機塩を用いて粘度増加が図れ、かつ、低温条件での保存安定性に優れていることが分かる。